(57)【特許請求の範囲】
【請求項１】
テーブルの上面であるテーブル上面に載置された被撮像物を撮像するカメラユニットと、該撮像に際して前記テーブル上面の側を照明する照明ユニットとを有する撮像装置であって、
前記照明ユニットは、
前記テーブルの上方に位置する基板と、該基板に設置された発光ダイオードからなる複数の光源とを備え、
前記基板への前記複数の光源の設置に当たっては、前記テーブルの一端側から他端側にかけて前記複数の光源が前記テーブルの上方において並ぶ光源列として前記複数の光源を前記基板に設置すると共に、前記光源列を前記テーブルの前記一端側の一端側光源列領域と、前記テーブルの前記他端側の他端側光源列領域と、該他端側光源列領域と前記一端側光源列領域の間の中央光源列領域に分けた際の各光源列領域において、前記一端側光源列領域と前記他端側光源列領域の前記光源の配設頻度を前記中央光源列領域の前記配設頻度より大きくして、前記複数の光源を前記基板に配設し、該配設済みの前記複数の光源から前記テーブル上面に向けて光を照射して前記テーブル上面の側を照明し、
前記基板から突出し、前記複数の光源に含まれ前記一端側光源列領域において前記テーブルの前記一端側に位置する光源と前記他端側光源列領域において前記テーブルの前記他端側に位置する光源とが前記テーブル上面の外側に向けて発する光を前記テーブル上面の側に向けて反射させる端部反射板と、
前記中央光源列領域の両端において前記基板から突出し、前記複数の光源に含まれ前記中央光源列領域の外側に位置する光源が前記テーブル上面のテーブル中央領域を超えて前記テーブル上面の外側に向けて発する光を前記テーブル上面の側に向けて反射させる中央端部反射板とを備える
撮像装置。
【請求項２】
前記照明ユニットは、前記中央光源列領域に前記複数の光源を設置していない請求項１に記載の撮像装置。
【請求項３】
前記複数の光源は、該複数の光源に含まれる個々の光源が列状に並んだライン状の光源列として前記基板に配設されている請求項１または請求項２に記載の撮像装置。
【請求項４】
請求項１ないし請求項３いずれかに記載の撮像装置であって、
前記照明ユニットは、
前記基板の前記光源の前方側を開放して前記基板を覆う凹所形成体と、
該凹所形成体を収納し、前記凹所形成体の凹所開口に対向する透光窓を有する筐体とを備え、
前記凹所形成体は、前記基板の両端側の凹所側壁と該凹所側壁と共に前記基板を覆う凹所上下壁とを備え、前記凹所側壁を前記基板の両端側の前記端部反射板とし、前記凹所上下壁の壁面のうち前記光源の側の壁面を反射面とする
撮像装置。
【発明の詳細な説明】
【技術分野】
【０００１】
本発明は、テーブルに載置された被撮像物を照明しつつ撮像する撮像装置に関する。
【背景技術】
【０００２】
この種の撮像装置では、テーブルに載置された被撮像物をカメラヘッドのカメラで撮像するに当たり、撮像時の光量を補うために照明ユニットが装着されている（特許文献１等）。従来の装置における照明ユニットは、輝度の低い発光ダイオード（ＬＥＤ）を多数集めて広い範囲からテーブルを均一に照明するようにしているが、多数のＬＥＤを用いているために、配線の複雑化を招いたり、メンテナンスの手間がかかるという問題があった。
【０００３】
【特許文献１】特開２００３−２０９７１７号公報
【特許文献２】特許第３６８２２８５号公報
【０００４】
この種の撮像装置は、その照明ユニットを発光ダイオード（ＬＥＤ）が等ピッチでライン状に配置された構成とした上で、各ＬＥＤから光を照射してテーブル上面を照明している。
【発明の開示】
【発明が解決しようとする課題】
【０００５】
ところで、等ピッチでライン状にＬＥＤを配置して各ＬＥＤから同じように光を照射すると、テーブル上面のテーブル中央領域とその側方領域とで照度に差が生じ、カメラユニットの撮像範囲においても照度ムラが生まれる。このため、特許文献２では、照度ムラを低減させるために、所定長さに亘って多数のＬＥＤをライン状に配置した照明ユニットを用い、そのＬＥＤの全てを一斉に点灯する制御や、照度ムラの程度に応じてＬＥＤの点灯・消灯制御を行うことが提案されていた。
【０００６】
照度ムラの程度に応じたＬＥＤの点灯・消灯制御は、照度ムラの測定が不可欠なため、その煩雑さが指摘されるに至った。また、総てのＬＥＤを一斉点灯すれば、制御上の煩雑さは軽減されるが、所定長さに亘ってライン状に多数のＬＥＤを配置する必要があり、部品数の増大や省資源化の観点から問題視されるに至った。
【０００７】
本発明は、上記問題点を解決するためになされ、光源の点灯制御を簡略化した上で、ＬＥＤ光源の低減と照度の均一化の両立を図ることをその目的とする。
【課題を解決するための手段】
【０００８】
上記した目的の少なくとも一部を達成するために、本発明では、以下の構成を採用した。
テーブルの上面であるテーブル上面に載置された被撮像物を撮像するカメラユニットと、該撮像に際して前記テーブル上面の側を照明する照明ユニットとを有する撮像装置であって、
前記照明ユニットは、
前記テーブルの上方に位置する基板と、該基板に設置された発光ダイオードからなる複数の光源とを備え、
前記基板への前記複数の光源の設置に当たっては、前記テーブルの一端側から他端側にかけて前記複数の光源が前記テーブルの上方において並ぶ光源列として前記複数の光源を前記基板に設置すると共に、前記光源列を前記テーブルの前記一端側の一端側光源列領域と、前記テーブルの前記他端側の他端側光源列領域と、該他端側光源列領域と前記一端側光源列領域の間の中央光源列領域に分けた際の各光源列領域において、前記一端側光源列領域と前記他端側光源列領域の前記光源の配設頻度を前記中央光源列領域の前記配設頻度より大きくして、前記複数の光源を前記基板に配設し、該配設済みの前記複数の光源から前記テーブル上面に向けて光を照射して前記テーブル上面の側を照明し、
前記基板から突出し、前記複数の光源に含まれ前記一端側光源列領域において前記テーブルの前記一端側に位置する光源と前記他端側光源列領域において前記テーブルの前記他端側に位置する光源とが前記テーブル上面の外側に向けて発する光を前記テーブル上面の側に向けて反射させる端部反射板と、
前記中央光源列領域の両端において前記基板から突出し、前記複数の光源に含まれ前記中央光源列領域の外側に位置する光源が前記テーブル上面のテーブル中央領域を超えて前記テーブル上面の外側に向けて発する光を前記テーブル上面の側に向けて反射させる中央端部反射板とを備える。
【０００９】
[適用例：撮像装置]
テーブルに載置された被撮像物を撮像するカメラユニットと、撮像に際してテーブル上面の側を照明するための照明ユニットとを有する撮像装置であって、
前記照明ユニットは、
発光ダイオードからなる複数の光源を前記テーブル上面に向けて光を照射するよう並べた光源列として基板に設置するに当たり、前記光源列の中央光源列領域と該中央光源列領域の左右光源列領域とにおいて、該左右光源列領域の前記光源の配設頻度を前記中央光源列領域の前記配設頻度より大きくして、前記複数の光源を前記基板に配設し、
前記基板の側から突出し、前記左右光源列領域の両端の光源が前記テーブル上面の外側に向けて発する光を前記テーブル上面の側に向けて反射させる端部反射板と、
前記中央光源列領域の両端において前記基板の側から突出し、前記中央光源列領域の外側に位置する光源が前記テーブル上面のテーブル中央領域を超えて前記テーブル上面の外側に向けて発する光を前記テーブル上面の側に向けて反射させる中央端部反射板とを備える
ことを要旨とする。
【００１０】
上記構成の撮像装置では、その照明ユニットが基板に光源列として並んだＬＥＤ光源から光をテーブル上面に向けて発し、テーブル上面の側を照明する。このようにして照明を行うに当たり、上記構成の撮像装置における照明ユニットは、基板にＬＥＤ光源が並んだ光源列として当該光源を設置するものの、光源列の中央光源列領域においてはＬＥＤ光源の配設頻度を小さくし、中央光源列領域の左右光源列領域ではＬＥＤ光源の配設頻度を大きくした。その上で、左右光源列領域の両端のＬＥＤ光源がテーブル上面の外側に向けて発する光については、この光を基板の側から突出した端部反射板で反射させて、テーブル上面の側に向ける。これにより、テーブル上面に達する光量を増やすことができる。
【００１１】
その一方、中央光源列領域においてはＬＥＤ光源の配設頻度を小さくしているものの、この中央光源列領域の左右光源列領域でのＬＥＤ光源の配設頻度が大きいこともあり、何の対処もしないとすれば、この左右光源列領域に含まれるＬＥＤ光源からの光がテーブル上面のテーブル中央領域とその周辺に交錯して達することからテーブル中央領域では光量が多くなってしまう。このため、上記構成の撮像装置における照明ユニットでは、光源列の中央光源列領域の外側に位置するＬＥＤ光源については、当該光源がテーブル中央領域を超えてテーブル上面の外側に向けて発する光を、光源列の中央光源列領域の両端において基板の側から突出した中央端部反射板で反射させて、テーブル上面の側に向ける。これにより、ＬＥＤ光源の配設頻度が大きい左右光源列領域のＬＥＤ光源からテーブル中央領域に向かう光は、その一部がテーブル中央領域から外れたテーブル上面に向かう。この結果、ライン状の光源列両端のＬＥＤ光源の発した光をテーブル上面の外側からテーブル上面の側に向かわせることと相まって、テーブル上面照度の均一化が可能となる。しかも、こうした照度の均一化を、中央光源列領域においてはＬＥＤ光源の配設頻度を小さくしても達成できるので、設置頻度を小さくする分、部品点数を低減でき、省資源化にも寄与できる。また、ＬＥＤ光源の消灯・点灯制御を要しないことから、制御が簡便となる。
【００１２】
以上説明した撮像装置では、種々の態様を採ることができる。例えば、照明ユニットにおける光源の設置頻度を小さくした中央光源列領域に光源を有しないようにすれば、部品点数をより一層低減できる。
【００１３】
そして、光源を基板に並べて光源列とするに際しては、光源が列状に並んだライン状の光源列とできる。こうすれば、光源配置が簡便となる。
【００１４】
また、照明ユニットを、前記基板の前記光源の前方側を開放して前記基板を覆う凹所形成体と、該凹所形成体を収納し、凹所形成体の凹所開口に対向する透光窓を有する筐体とを備えるものとし、前記凹所形成体は、前記基板の両端側の前記端部反射板を前記凹所形成体の凹所側壁として備え、凹所開口の上下壁面を反射面とするものとできる。こうすれば、凹所開口の上下壁面での反射光を透光窓を経てテーブル上面に至らしめるので、光量確保、並びに照度の均一化に有益である。
【発明を実施するための最良の形態】
【００１５】
以下、本発明の実施の形態について、その実施例を図面に基づき説明する。図１は実施例の撮像装置１００をその正面側から斜めに見て示す斜視図、図２はこの撮像装置１００の右側面図である。
【００１６】
図示するように、撮像装置１００は、被撮像物が載置されるテーブル１１０と、このテーブル１１０上の図示しない被撮像物を撮像するカメラヘッド１２０と、テーブル１１０上の被撮像物を照明する照明ユニット１３０とを備える。以下、撮像装置１００をその正面側から見た場合において、図１の紙面手前側に当たる側をテーブル１１０や他の機器に関しての前方側、前端もしくは前方等と称し、紙面奥側に当たる側をテーブル１１０や他の機器に関しての後方側、後端もしくは後方等と称する。また、同じく撮像装置１００をその正面側から見た場合において、これらの一端側、即ち図１の紙面左方側をテーブル１１０や他の機器に関しての左方側、左端もしくは左方等と称し、他端側、即ち紙面右方側をテーブル１１０や他の機器に関しての右方側、右端もしくは右方等と称する。テーブル１１０は、前方側が丸みを帯びた方形の平板状をなし、前方側上面に、スイッチ群１１２とモニタ１１４とを備え、左後方側壁には、メモリカード装着機構１１３とＵＳＢ（ Universal Serial Bus ）端子１１５を有する。このスイッチ群１１２は、照明オン／オフ、モニタ表示ソースの切り換え、モニタ１１４に表示するメニュー画面の表示切り換えの他、本装置の機能設定等ためのスイッチ機能を果たすが、本発明の要旨と直接関係しないので、その説明は省略する。
【００１７】
また、テーブル１１０は、テーブル後端側のテーブル上面に開閉自在のカバー１１７を備え、当該カバーにて、外部装置と接続するための図示しないコネクタ端子群を覆い隠す。カバー１１７は、フラップ状に開閉され、図示する閉鎖状態では、テーブル１１０のテーブル上面と実質的に面一となり、カバー部分の表面を、テーブル上面に連続した面とする。
【００１８】
カメラヘッド１２０は、テーブル１１０に対してカメラ保持アーム１４０で保持される。このカメラ保持アーム１４０は、テーブル側アーム１４２とカメラ側アーム１４４を備え、テーブル側アーム１４２の基部１４３でテーブル１１０に回動自在に保持される。カメラ側アーム１４４は、カメラヘッド１２０と連結固定され、テーブル側アーム１４２との連結部でそれぞれ回動自在とされている。よって、カメラヘッド１２０は、カメラ側アーム１４４と一体となってテーブル側アーム１４２の先端で回動可能である。
【００１９】
また、カメラヘッド１２０は、図示しないカメラを内蔵し、その側面に、被撮像物の撮像の際に常用されるスイッチとしてズーム操作スイッチ１２２とオートフォーカススイッチ１２４とを備える。ズーム操作スイッチ１２２は、オートフォーカススイッチ１２４を取り囲むよう設置され、使用者による正逆の回動操作に応じて使用者所望のズーム程度を決定する。オートフォーカススイッチ１２４は、押圧スイッチとして構成され、通常はオートフォーカスオフとされており、装置使用者の押圧操作により、オートフォーカス動作が実行される。
【００２０】
照明ユニット１３０は、テーブル１１０に対して照明ユニット保持アーム１５０で保持される。この照明ユニット保持アーム１５０は、その基部１５２でテーブル１１０に回動自在に保持され、その先端側では、照明ユニット１３０を回動自在に保持する。
【００２１】
カメラ保持アーム１４０と照明ユニット保持アーム１５０は、テーブル１１０の左奥コーナーの隆起部１１８において回動自在に同軸に軸支され、テーブル１１０に対する傾斜の程度が変わるよう、テーブル１１０に対して同軸に回動する。撮像装置１００は、このように回動自在に軸支されたアームを有することから、アームの回動に伴い、種々の形態を取り得る。ここで、両アームの回動軸支の構成の説明に先立ち、撮像装置１００が取り得る種々の形態について簡単に説明する。
【００２２】
上記した両アームの軸支の様子や照明ユニット１３０の軸支の様子から、図２に示すように、カメラ保持アーム１４０は、図中の矢印Ｘｋａに示すように、テーブル１１０に対して傾斜程度が変わるよう回動し、この図２に実線で示す状態から、カメラヘッド１２０をテーブル１１０の上面に近づける状態まで回動可能である。カメラヘッド１２０は、テーブル１１０に載置された被撮像物の撮像時において、図１および図２に示す姿勢（撮像姿勢）を取り、テーブル１１０に載置された被撮像物をテーブル上方側から撮像する。カメラ側アーム１４４は、テーブル側アーム１４２に対して回動自在であり、テーブル側アーム１４２がテーブル上面の側に回動した場合、カメラヘッド１２０がテーブル１１０の上面に接近するよう回動される。なお、カメラ保持アーム１４０は、テーブル側アーム１４２がテーブル側の最小角度で傾斜した場合、図示しない節度機構により、回動後の姿勢を維持するようにされている。その一方、カメラヘッド１２０が図２の撮像姿勢を取るとき、図示しない軸支構成のストッパによりカメラ保持アーム１４０の回動は規制され、カメラ保持アーム１４０はテーブル１１０に対して最も大きな傾斜（最大傾斜）となる。
【００２３】
照明ユニット保持アーム１５０は、図２における矢印Ｘｓａに示すように、テーブル１１０に対して傾斜程度が変わるよう回動し、この図２に示す状態から、照明ユニット１３０をテーブル１１０の上面に近づける状態まで回動可能である。また、照明ユニット保持アーム１５０は、照明ユニット１３０が図２に示す位置より後方の位置となるまで回動可能である。照明ユニット１３０は、照明ユニット保持アーム１５０との連結部において図中の矢印Ｘｓｈに示すように回動する。この場合、テーブル１１０に載置された被撮像物の撮像時には、照明ユニット保持アーム１５０はカメラ保持アーム１４０より後方側に位置し、照明ユニット１３０は、通常、カメラヘッド１２０より後方の図に示す姿勢（照明姿勢）を取り、テーブル１１０に載置された被撮像物をテーブル上方側から斜めに照明する。この際、照明ユニット１３０は、照明ユニット保持アーム１５０との連結部において回動操作され、内蔵する後述の光源収容部１３１から発した光を透光性の窓１３２を経てテーブル上面に照射して照明する。
【００２４】
次に、照明ユニット１３０について詳述する。図３は照明ユニット１３０を破断して示す説明図、図４は照明ユニット１３０の要部を分解して概略的に示す説明図、図５は照明ユニット１３０をカバーを取り外して正面視して示す説明図である。
【００２５】
照明ユニット１３０は、略半円形断面の後方ボディ１３０ＫＢに前方ボディ１３０ＫＫを装着した筐体とされ、筐体内部に、光源収容部１３１を収容する。前方ボディ１３０ＫＫの傾斜前面には、透光性の窓１３２を備える。この窓１３２は、図５に示すように、光源収容部１３１より広い範囲に亘って形成され、光源収容部１３１から発せられる光をテーブル上面に透過させる。
【００２６】
光源収容部１３１は、既述した照明ユニット保持アーム１５０との連結部における回動動作のための回動支持体１３３から窓１３２の側に向かうよう当該支持体に装着されている。この光源収容部１３１は、前方が開口した凹形状をなし、ベース１３１Ｂの左右の左方壁１３１Ｌと右方壁１３１Ｒと、上下の天井壁１３１Ｕと下方壁１３１Ｄとを折り曲げて、ベース１３１Ｂを取り囲むよう形成されている。これら四方の壁の内壁面、即ち左方内壁面１３１ＬＳ、右方内壁面１３１ＲＳ、天井内壁面１３１ＵＳ、下方内壁面１３１ＤＳは、いずれも白色に着色されており、これら内壁面は光の反射面として機能する。
【００２７】
凹形状の光源収容部１３１は、ベース１３１Ｂに光源基板１６０を固定して備える。よって、光源収容部１３１の上記した左方壁１３１Ｌと右方壁１３１Ｒと天井壁１３１Ｕおよび下方壁１３１Ｄは、光源基板１６０の側から窓１３２の側に突出することになる。光源基板１６０は、図４〜図５に示すように、基板正面視における左右端側にＬＥＤ光源１６０Ｌ１〜Ｌ２とＬＥＤ光源１６０Ｒ１〜Ｒ２を備える。これらＬＥＤ光源は、テーブル１１０の上面に向けて光を照射するようライン状の光源列として光源基板１６０に設置されており、この光源列の左右端側にしか配置されていないので、光源列の中央領域においてはＬＥＤ光源の配設頻度が光源列の左右端部より小さくされていることになる。
【００２８】
また、光源収容部１３１は、上記のように光源の配設頻度が小さくされた光源列の中央領域に、凹形状の反射体１７０を備える。この反射体１７０は、光源基板１６０に図示しないネジにて固定され、左右の左方壁１７１Ｌと右方壁１７１Ｒは、光源基板１６０の側から窓１３２の側に突出し、それぞれ上記したＬＥＤ光源を挟んで光源収容部１３１の左方壁１３１Ｌと右方壁１３１Ｒに対向する。反射体１７０の左方壁の外壁面、即ち左方外壁面１７１ＬＳと右方外壁面１７１ＲＳは、いずれも白色に着色されており、これら外壁面は光の反射面として機能する。
【００２９】
上記した構成の照明ユニット１３０は、図１におけるスイッチ群１１２の照明スイッチが操作されると、光源基板１６０の総てのＬＥＤ光源、即ち光源収容部１３１の左方壁１３１Ｌと反射体１７０の左方壁１７１Ｌとの間のＬＥＤ光源１６０Ｌ１〜Ｌ２と、光源収容部１３１の右方壁１３１Ｒと反射体１７０の右方壁１７１Ｒとの間のＬＥＤ光源１６０Ｒ１〜Ｒ２とを点灯させる。図６は総てのＬＥＤ光源が点灯した状態でのＬＥＤ光源からの光の照射の様子を正面方向から見て模式的に示す説明図、図７は総てのＬＥＤ光源が点灯した状態でのＬＥＤ光源からの光の照射の様子を横方向から見て模式的に示す説明図である。
【００３０】
図示するように、本実施例の撮像装置１００は、被撮像物の撮像に際してこれを照明する場合には、照明ユニット１３０がライン状の光源列として有するＬＥＤ光源１６０Ｌ１〜Ｌ２とＬＥＤ光源１６０Ｒ１〜Ｒ２の総てを点灯させて、これらＬＥＤ光源の発する光をテーブル１１０の上面に照射して、テーブル上面の側を照明する。このようにして照明を行うに当たり、照明ユニット１３０は、光源基板１６０にＬＥＤ光源をライン状の光源列として有するものの、基板左右端側にＬＥＤ光源１６０Ｌ１〜Ｌ２とＬＥＤ光源１６０Ｒ１〜Ｒ２とを備えるに過ぎない。つまり、ライン状の光源列ではあっても、その光源列の中央領域においてはＬＥＤ光源の配設頻度は小さくされ、当該領域の左右の領域では光源設置頻度が大きくされている。そして、この配設頻度の大きい左右領域のライン状光源列両端のＬＥＤ光源１６０Ｌ１とＬＥＤ光源１６０Ｒ１がテーブル上面の外側に向けて発する光については、図６に示すように、この光を上記ＬＥＤ光源の外側において光源基板１６０の側から突出した左方壁１３１Ｌ・右方壁１３１Ｒの左方内壁面１３１ＬＳと右方内壁面１３１ＲＳでそれぞれ反射させて、テーブル上面の側に向ける。よって、ＬＥＤ光源１６０Ｌ１〜Ｌ２とＬＥＤ光源１６０Ｒ１〜Ｒ２とを光源基板１６０の左右端側にあってのみ位置するようライン状に配置しても、テーブル上面に達する光量を増やすことができる。
【００３１】
しかも、光源の配設頻度が小さい光源列の中央領域に設けた反射体１７０の外側に位置するＬＥＤ光源１６０Ｌ２とＬＥＤ光源１６０Ｒ２については、当該光源がテーブル上面のテーブル中央領域を超えてテーブル上面の外側に向けて発する光を、図６に示すように、上記光源から中央よりの箇所において光源基板１６０の側から突出した左方壁１７１Ｌ・右方壁１７１Ｒの左方外壁面１７１ＬＳと右方外壁面１７１ＲＳでそれぞれ反射させて、テーブル上面の側に向ける。これにより、反射体１７０の外側に位置するＬＥＤ光源１６０Ｌ２とＬＥＤ光源１６０Ｒ２からテーブル中央領域に向かう光の一部を、テーブル中央領域から外れたテーブル上面に向かうようにできる。この結果、本実施例の照明ユニット１３０を有する撮像装置１００によれば、ライン状の光源列両端のＬＥＤ光源１６０Ｌ１とＬＥＤ光源１６０Ｒ１の発した光をテーブル上面の外側からテーブル上面の側に向かわせることと相まって、テーブル上面の照度を均一化できる。しかも、こうした照度の均一化を、ＬＥＤ光源を光源列中央領域で設置しないようにしても達成できるので、光源の設置を行わない分、ＬＥＤ光源の部品点数を低減でき、省資源化にも寄与できる。また、ＬＥＤ光源１６０Ｌ１〜Ｌ２とＬＥＤ光源１６０Ｒ１〜Ｒ２を単純に点灯するだけで良く、消灯・点灯制御を要しないことから制御が簡便となる。
【００３２】
また、本実施例では、光源基板１６０に反射体１７０を設置して、光源の配設頻度を小さくする光源列の中央領域に光源を有しないようにしたので、部品点数をより一層低減できる。
【００３３】
しかも、本実施例では、ライン状の光源列の両端側のＬＥＤ光源１６０Ｌ１〜Ｌ２とＬＥＤ光源１６０Ｒ１〜Ｒ２を有する光源基板１６０を、凹形状の光源収容部１３１に収容し、左方内壁面１３１ＬＳや右方内壁面１３１ＲＳ、左方外壁面１７１ＬＳ、右方外壁面１７１ＲＳのみならず、基板上下の天井壁１３１Ｕと下方壁１３１Ｄの天井内壁面１３１ＵＳと下方内壁面１３１ＤＳによっても上記各ＬＥＤ光源の光を反射して、図７に示すように、その反射光を窓１３２を経てテーブル１１０の上面に向かわせる。よって、テーブル１１０の上面における光量確保と照度の均一化の実効性を高めることができる。
【００３４】
本発明は上記した実施例や実施形態に限られるものではなく、その要旨を逸脱しない範囲において、種々の態様で実施可能である。例えば、ライン状にＬＥＤ光源を配置するに当たり、本実施例では、反射体１７０を光源列の中央領域に設置して、当該設置箇所にはＬＥＤ光源が一つも存在しないようにしたが、この反射体１７０に１〜２個程度の個数でＬＥＤ光源を組み込むようにすることもできる。
【図面の簡単な説明】
【００３５】
【図１】実施例の撮像装置１００をその正面側から斜めに見て示す斜視図である。
【図２】この撮像装置１００の右側面図である。
【図３】照明ユニット１３０を破断して示す説明図である。
【図４】照明ユニット１３０の要部を分解して概略的に示す説明図である。
【図５】照明ユニット１３０をカバーを取り外して正面視して示す説明図である。
【図６】総てのＬＥＤ光源が点灯した状態でのＬＥＤ光源からの光の照射の様子を正面方向から見て模式的に示す説明図である。
【図７】総てのＬＥＤ光源が点灯した状態でのＬＥＤ光源からの光の照射の様子を横方向から見て模式的に示す説明図である。
【符号の説明】
【００３６】
１００…撮像装置
１１０…テーブル
１１２…スイッチ群
１１３…メモリカード装着機構
１１４…モニタ
１１５…端子
１１７…カバー
１１８…隆起部
１２０…カメラヘッド
１２２…ズーム操作スイッチ
１２４…オートフォーカススイッチ
１３０…照明ユニット
１３０ＫＢ…後方ボディ
１３０ＫＫ…前方ボディ
１３１…光源収容部
１３１Ｂ…ベース
１３１Ｄ…下方壁
１３１Ｌ…左方壁
１３１Ｒ…右方壁
１３１Ｕ…天井壁
１３１ＤＳ…下方内壁面
１３１ＬＳ…左方内壁面
１３１ＲＳ…右方内壁面
１３１ＵＳ…天井内壁面
１３２…窓
１３３…回動支持体
１４０…カメラ保持アーム
１４２…テーブル側アーム
１４３…基部
１４４…カメラ側アーム
１５０…照明ユニット保持アーム
１５２…基部
１６０…光源基板
１６０Ｌ１〜Ｌ２、１６０Ｒ１〜Ｒ２…ＬＥＤ光源
１７０…反射体
１７１Ｌ…左方壁
１７１Ｒ…右方壁
１７１ＬＳ…左方外壁面
１７１ＲＳ…右方外壁面
【図１】
0004901712.tif 000002
【図２】
0004901712.tif 000003
【図３】
0004901712.tif 000004
【図４】
0004901712.tif 000005
【図５】
0004901712.tif 000006
【図６】
0004901712.tif 000007
【図７】
0004901712.tif 000008